【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
潤滑組成物であって、
（ａ）ビニル脂肪族モノマーから誘導される単位およびカルボン酸モノマーから誘導される単位を含む骨格を含み、該カルボン酸モノマーが、α，β−エチレン性不飽和ジカルボン酸またはその誘導体を含む、エステル化されたコポリマーと；
（ｂ）潤滑粘度の油とを含み、
該潤滑組成物は、２．５重量％以下の、エステル化されたコポリマー以外の酸化生成物を分散させるための分散剤を含む、潤滑組成物。
【請求項２】
前記潤滑組成物は、２重量％以下、または１．７５重量％以下、または１．５重量％以下、または１重量％以下、または０．５重量％以下、または０．２重量％以下、または０．１重量％以下の、前記例示的なコポリマー以外の分散剤を含む、請求項１に記載の潤滑組成物。
【請求項３】
前記分散剤が存在し、アシル化Ｃ３〜Ｃ６ポリアルキレン化合物から誘導される窒素含有分散剤から本質的になる、請求項１または２に記載の潤滑組成物。
【請求項４】
前記エステル化されたコポリマーは、窒素含有基を含む、請求項１〜３のいずれか１項に記載の潤滑組成物。
【請求項５】
前記カルボン酸モノマーから誘導される単位の少なくとも一部が、窒素含有化合物でアミノ化されたもの、アミド化されたもの、およびイミド化されたもののうち、少なくとも１つである、請求項１〜４のいずれか１項に記載の潤滑組成物。
【請求項６】
前記窒素含有化合物は、モルホリン、イミダゾリジノン、アミノアミド、β−アラニンアルキルエステル、脂肪族アミン、芳香族アミン、脂肪族ポリアミン、芳香族ポリアミン、およびこれらの混合物からなる群から選択されるアミン含有化合物である、請求項５に記載の潤滑組成物。
【請求項７】
前記カルボン酸モノマーから誘導される単位のカルボン酸官能基の０．１〜２５％が、窒素含有化合物でアミノ化されたもの、アミド化されたもの、およびイミド化されたもののうち、少なくとも１つである、請求項５または６に記載の潤滑組成物。
【請求項８】
前記カルボン酸モノマーから誘導される単位のカルボン酸官能基の少なくとも１％が窒素含有化合物と反応し、窒素含有基を与える、請求項５〜７のいずれか１項に記載の潤滑組成物。
【請求項９】
前記エステル化されたコポリマーは、窒素含有基を実質的に含まない、請求項１または２に記載の潤滑組成物。
【請求項１０】
前記エステル化されたコポリマーは、重量平均分子量が５，０００〜２５，０００である、請求項１〜９のいずれか１項に記載の潤滑組成物。
【請求項１１】
前記エステル化されたコポリマーは、前記潤滑組成物の少なくとも５重量％である、請求項１〜１０のいずれか１項に記載の潤滑組成物。
【請求項１２】
前記コポリマーは、β位またはより離れた位置で分岐している一級アルコールでエステル化されている、請求項１〜１１のいずれか１項に記載の潤滑組成物。
【請求項１３】
前記カルボン酸モノマーは、無水マレイン酸を含む、請求項１〜１２のいずれか１項に記載の潤滑組成物。
【請求項１４】
前記ビニル脂肪族モノマーは、少なくとも６個の炭素原子を含むα−オレフィンを含む、請求項１〜１３のいずれか１項に記載の潤滑組成物。
【請求項１５】
前記コポリマー中の前記ビニル脂肪族モノマー単位と前記カルボン酸モノマー単位とのモル比は、１：３〜３：１、または０．６：１〜１．２：１、または０．７：１〜１：１．１である、請求項１〜１４のいずれか１項に記載の潤滑組成物。
【請求項１６】
前記エステル化されたコポリマーの骨格は、さらに、ビニル芳香族モノマーから誘導される単位を含み、前記ビニル芳香族モノマーから誘導される単位と、前記ビニル脂肪族モノマーから誘導される単位とのモル比は、０：１００から２５：７５まで、または１０：９０までである、請求項１〜１５のいずれか１項に記載の潤滑組成物。
【請求項１７】
前記コポリマー骨格は、少なくとも２０の単位、または少なくとも１００の単位を含む、請求項１〜１６のいずれか１項に記載の潤滑組成物。
【請求項１８】
前記潤滑組成物は、Ｎ−置換長鎖アルケニルスクシンイミド、亜鉛で複合体化したポリイソブチレンスクシンイミド、Ｍａｎｎｉｃｈ塩基、およびこれらの化合物をホウ素化することによって作られる後処理した分散剤からなる群から選択される分散剤を合計で、２重量％未満、または１．７５重量％未満、または１．５重量％未満、または１重量％未満、または０．５重量％未満、または０．２重量％未満含む、請求項１〜１７のいずれか１項に記載の潤滑組成物。
【請求項１９】
前記潤滑組成物の２０時間ＫＲＬ  ＳＳＩは、０〜３０、または０〜１０、または１０〜３０である、請求項１〜１８のいずれか１項に記載の潤滑組成物。
【請求項２０】
潤滑組成物を調製するためのプロセスであって、
（Ａ）
（１）（ｉ）ビニル脂肪族モノマーと（ｉｉ）α，β−エチレン性不飽和ジカルボン酸またはその誘導体を含むカルボン酸モノマーとを反応させ、コポリマーを作製する工程であって、該カルボン酸モノマーが場合によりエステル基を含む、工程と、
（２）場合により、工程（１）の該コポリマーをエステル化し、エステル化されたコポリマーを作製する工程と、
（３）場合により、工程（１）または（２）の該コポリマーと窒素含有化合物とを、少なくとも０．０１重量％の窒素を含むエステル化されたコポリマーを与える量で反応させる工程と
を含む、エステル化されたコポリマーを作製する工程であって、得られたコポリマーが、（１）、（２）および（３）の少なくとも１つでエステル化されている、工程と；
（Ｂ）（Ａ）で作られた該エステル化されたコポリマーと、潤滑粘度の油および該エステル化されたコポリマー以外の性能添加剤のうち少なくとも１つとを混合し、酸化生成物を分散させるために、該エステル化されたコポリマー以外の分散剤を２．５重量％以下含む潤滑組成物を与える工程とを含む、プロセス。
【請求項２１】
工程（１）または（２）の前記エステル化されたコポリマーと窒素含有化合物とを反応させる工程が、０．０１重量％〜１．５重量％、または０．０２重量％〜０．７５重量％、または０．０４重量％〜０．２５重量％の窒素を含むエステル化されたコポリマーを与える、請求項２０に記載のプロセス。
【請求項２２】
前記カルボン酸モノマーは、工程（１）でエステル化されたコポリマーを与えるための一級アルコールから誘導されるエステル基を含む、請求項２０または２１に記載のプロセス。
【請求項２３】
請求項２０〜２２のいずれか１項に記載のプロセスによって作られる潤滑組成物。
【請求項２４】
任意のさらなる分散剤を添加しない、自動車の動力伝達システムにおける、請求項１〜１９および２３のいずれか１項に記載の潤滑組成物の使用。
【請求項２５】
請求項１〜１９および２３のいずれか１項に記載の潤滑組成物を車両の動力伝達システムの構成要素に供給する工程を含む、車両の動力伝達システムの構成要素を潤滑する方法。
【手続補正２】
【補正対象書類名】明細書
【補正対象項目名】０００９
【補正方法】変更
【補正の内容】
【０００９】
別の態様では、潤滑組成物を調製するためのプロセスは、（１）（ｉ）ビニル脂肪族モノマーと（ｉｉ）α，β−エチレン性不飽和ジカルボン酸またはその誘導体を含むカルボン酸モノマーとを反応させ、コポリマーを作製する工程であって、カルボン酸モノマーが場合によりエステル基を含む、工程と、（２）場合により、工程（１）のコポリマーをエステル化し、エステル化されたコポリマーを作製する工程と、（３）場合により、工程（１）または（２）のコポリマーと窒素含有化合物とを、少なくとも０．０１重量％の窒素を含むエステル化されたコポリマーを与える量で反応させる工程とを含む、エステル化されたコポリマーを作製する工程であって、得られたコポリマーが、（１）、（２）および（３）の少なくとも１つでエステル化され、このようにして作られたエステル化されたコポリマーと、潤滑粘度の油およびエステル化されたコポリマー以外の性能添加剤のうち少なくとも１つとを混合し、酸化生成物を分散させるために、エステル化されたコポリマー以外の分散剤を２．５重量％以下含む潤滑組成物を与える工程とを含む。
本発明は、例えば、以下を提供する。
（項目１）
潤滑組成物であって、
（ａ）ビニル脂肪族モノマーから誘導される単位およびカルボン酸モノマーから誘導される単位を含む骨格を含み、該カルボン酸モノマーが、α，β−エチレン性不飽和ジカルボン酸またはその誘導体を含む、エステル化されたコポリマーと；
（ｂ）潤滑粘度の油とを含み、
該潤滑組成物は、２．５重量％以下の、エステル化されたコポリマー以外の酸化生成物を分散させるための分散剤を含む、潤滑組成物。
（項目２）
前記潤滑組成物は、２重量％以下、または１．７５重量％以下、または１．５重量％以下、または１重量％以下、または０．５重量％以下、または０．２重量％以下、または０．１重量％以下の、前記例示的なコポリマー以外の分散剤を含む、項目１に記載の潤滑組成物。
（項目３）
前記潤滑組成物は、前記例示的なコポリマー以外の分散剤を０．０１〜２．５重量％、または０．０１〜２重量％、または０．０１〜１．７５重量％、または０．０１〜１．５重量％、または０．５〜２．５重量％、または０．５〜１．７５重量％、または０．５〜１．５重量％含む、項目１または２に記載の潤滑組成物。
（項目４）
前記分散剤が存在し、アシル化Ｃ３〜Ｃ６ポリアルキレン化合物から誘導される窒素含有分散剤から本質的になる、項目１〜３のいずれか１項に記載の潤滑組成物。
（項目５）
前記エステル化されたコポリマーは、窒素含有基を含む、項目１〜４のいずれか１項に記載の潤滑組成物。
（項目６）
前記カルボン酸モノマーから誘導される単位の少なくとも一部が、窒素含有化合物でアミノ化されたもの、アミド化されたもの、およびイミド化されたもののうち、少なくとも１つである、項目１〜５のいずれか１項に記載の潤滑組成物。
（項目７）
前記窒素含有化合物は、モルホリン、イミダゾリジノン、アミノアミド、β−アラニンアルキルエステル、脂肪族アミン、芳香族アミン、脂肪族ポリアミン、芳香族ポリアミン、およびこれらの混合物からなる群から選択されるアミン含有化合物である、項目６に記載の潤滑組成物。
（項目８）
前記カルボン酸モノマーから誘導される単位のカルボン酸官能基の０．１〜２５％が、窒素含有化合物でアミノ化されたもの、アミド化されたもの、およびイミド化されたもののうち、少なくとも１つである、項目６または７に記載の潤滑組成物。
（項目９）
前記カルボン酸モノマーから誘導される単位のカルボン酸官能基の少なくとも１％が窒素含有化合物と反応し、窒素含有基を与える、項目６〜８のいずれか１項に記載の潤滑組成物。
（項目１０）
前記エステル化されたコポリマーは、窒素含有基を実質的に含まない、項目１〜３のいずれか１項に記載の潤滑組成物。
（項目１１）
前記潤滑組成物は、２重量％以下の、前記例示的なコポリマー以外の分散剤を含む、項目１０に記載の潤滑組成物。
（項目１２）
前記エステル化されたコポリマーは、重量平均分子量が５，０００〜２５，０００である、項目１〜１１のいずれか１項に記載の潤滑組成物。
（項目１３）
前記エステル化されたコポリマーは、重量平均分子量が５０００〜１０，０００、または１５，０００〜２５，０００、または１０，０００〜１７，０００である、項目１〜１２のいずれか１項に記載の潤滑組成物。
（項目１４）
前記エステル化されたコポリマーは、前記潤滑組成物の少なくとも５重量％である、項目１〜１３のいずれか１項に記載の潤滑組成物。
（項目１５）
前記エステル化されたコポリマーは、前記潤滑組成物の少なくとも１０重量％、または少なくとも４０重量％、または少なくとも６０重量％である、項目１〜１４のいずれか１項に記載の潤滑組成物。
（項目１６）
前記エステル化されたコポリマーは、前記潤滑組成物の３０〜６０重量％、または４０〜５０重量％である、項目１〜１５のいずれか１項に記載の潤滑組成物。
（項目１７）
前記潤滑粘度の油は、前記潤滑組成物の少なくとも２０重量％、または少なくとも３０重量％である、項目１〜１６のいずれか１項に記載の潤滑組成物。
（項目１８）
前記コポリマーは、一級アルコールでエステル化されている、項目１〜１７のいずれか１項に記載の潤滑組成物。
（項目１９）
前記一級アルコールは、β位またはより離れた位置で分岐している一級アルコールを含む、項目１８に記載の潤滑組成物。
（項目２０）
前記一級アルコールは、さらに、直鎖一級アルコールを含む、項目１８または１９に記載の潤滑組成物。
（項目２１）
前記一級アルコールは、少なくとも６個の炭素原子を含む、項目１８〜２０のいずれか１項に記載の潤滑組成物。
（項目２２）
前記カルボン酸モノマーは、無水マレイン酸を含む、項目１〜２１のいずれか１項に記載の潤滑組成物。
（項目２３）
前記ビニル脂肪族モノマーは、α−オレフィンを含む、項目１〜２２のいずれか１項に記載の潤滑組成物。
（項目２４）
前記α−オレフィンは、少なくとも６個の炭素原子を含む、項目２３に記載の潤滑組成物。
（項目２５）
前記コポリマー中の前記ビニル脂肪族モノマー単位と前記カルボン酸モノマー単位とのモル比は、１：３〜３：１、または０．６：１〜１．２：１、または０．７：１〜１：１．１である、項目１〜２４のいずれか１項に記載の潤滑組成物。
（項目２６）
前記エステル化されたコポリマーの骨格は、さらに、ビニル芳香族モノマーから誘導される単位を含む、項目１〜２５のいずれか１項に記載の潤滑組成物。
（項目２７）
前記ビニル芳香族モノマーから誘導される単位と、前記ビニル脂肪族モノマーから誘導される単位とのモル比は、０：１００から２５：７５まで、または１０：９０までである、項目２６に記載の潤滑組成物。
（項目２８）
前記コポリマー骨格は、少なくとも２０の単位、または少なくとも１００の単位を含む、項目１〜２７のいずれか１項に記載の潤滑組成物。
（項目２９）
前記コポリマー骨格は、１０００まで、または５００まで、または２５０までの、前記ビニル脂肪族モノマーおよび前記カルボン酸モノマーから誘導される単位を含む、項目１〜２８のいずれか１項に記載の潤滑組成物。
（項目３０）
前記エステル化されたコポリマー以外の少なくとも１つの性能添加剤をさらに含む、項目１〜２９のいずれか１項に記載の潤滑組成物。
（項目３１）
前記少なくとも１つの他の性能添加剤は、金属不活性化剤、清浄剤、粘度指数向上剤、摩擦調整剤、腐食抑制剤、耐摩耗剤、極圧剤、けば立ち防止剤、酸化防止剤、泡抑制剤、乳化破壊剤、流動点降下剤、シール膨潤剤およびこれらの混合物からなる群のうち、少なくとも１つを含む、項目３０に記載の潤滑組成物。
（項目３２）
前記少なくとも１つの他の性能添加剤は、ジメルカプト−１，３，４−チアジアゾール、ジメルカプト−１，３，４−チアジアゾールの誘導体、硫化オレフィン、およびこれらの混合物からなる群から選択される極圧剤を含む、項目３１に記載の潤滑組成物。
（項目３３）
前記潤滑組成物は、Ｎ−置換長鎖アルケニルスクシンイミド、亜鉛で複合体化したポリイソブチレンスクシンイミド、Ｍａｎｎｉｃｈ塩基、およびこれらの化合物をホウ素化することによって作られる後処理した分散剤からなる群から選択される分散剤を合計で、２重量％未満、または１．７５重量％未満、または１．５重量％未満、または１重量％未満、または０．５重量％未満、または０．２重量％未満含む、項目１〜３２のいずれか１項に記載の潤滑組成物。
（項目３４）
前記潤滑組成物の２０時間ＫＲＬ  ＳＳＩは、０〜３０、または０〜１０、または１０〜３０である、項目１〜３３のいずれか１項に記載の潤滑組成物。
（項目３５）
潤滑組成物を調製するためのプロセスであって、
（Ａ）
（１）（ｉ）ビニル脂肪族モノマーと（ｉｉ）α，β−エチレン性不飽和ジカルボン酸またはその誘導体を含むカルボン酸モノマーとを反応させ、コポリマーを作製する工程であって、該カルボン酸モノマーが場合によりエステル基を含む、工程と、
（２）場合により、工程（１）の該コポリマーをエステル化し、エステル化されたコポリマーを作製する工程と、
（３）場合により、工程（１）または（２）の該コポリマーと窒素含有化合物とを、少なくとも０．０１重量％の窒素を含むエステル化されたコポリマーを与える量で反応させる工程と
を含む、エステル化されたコポリマーを作製する工程であって、得られたコポリマーが、（１）、（２）および（３）の少なくとも１つでエステル化されている、工程と；
（Ｂ）（Ａ）で作られた該エステル化されたコポリマーと、潤滑粘度の油および該エステル化されたコポリマー以外の性能添加剤のうち少なくとも１つとを混合し、酸化生成物を分散させるために、該エステル化されたコポリマー以外の分散剤を２．５重量％以下含む潤滑組成物を与える工程とを含む、プロセス。
（項目３６）
工程（３）を含む、項目３５に記載のプロセス。
（項目３７）
工程（１）または（２）の前記エステル化されたコポリマーと窒素含有化合物とを反応させる工程が、０．０１重量％〜１．５重量％、または０．０２重量％〜０．７５重量％、または０．０４重量％〜０．２５重量％の窒素を含むエステル化されたコポリマーを与える、項目３５または３６に記載のプロセス。
（項目３８）
工程（２）を含む、項目３５〜３７のいずれか１項に記載のプロセス。
（項目３９）
前記カルボン酸モノマーは、工程（１）でエステル化されたコポリマーを与えるための一級アルコールから誘導されるエステル基を含む、項目３５〜３８のいずれか１項に記載のプロセス。
（項目４０）
項目３５〜３９のいずれか１項に記載の方法によって作られる潤滑組成物。
（項目４１）
任意のさらなる分散剤を添加しない、自動車の動力伝達システムにおける、項目１〜３４および４０のいずれか１項に記載の潤滑組成物の使用。
（項目４２）
項目１〜３４および４０のいずれか１項に記載の潤滑組成物を車両の動力伝達システムの構成要素に供給する工程を含む、車両の動力伝達システムの構成要素を潤滑する方法。